(57)【要約】【課題】回転表示構造体の照明の適正化を図る。【解決手段】回転表示構造体３が装置躯体２の前側において自転駆動機構４および公転駆動機構５によって矢印Ｗ１で示す方向に自転および矢印Ｗ２で示す方向に公転され、回転表示構造体３に設けられた図柄表示体６に表示された複数の図柄が可変表示され、表示灯構造体７の表示灯８から発射された照射光Ｘ１が回転表示構造体３の前側から光導入部３１；３６を経由して内部に導入され、この照射光Ｘ１が反射体９で回転表示構造体３の前部に向けて反射され、この反射光Ｘ２が回転表示構造体３の前部に位置する図柄表示体６における複数の図柄を回転表示構造体３の内部から照明している。【選択図】図１
2008073138.tif 000002
【特許請求の範囲】
【請求項１】
複数の図柄を表示した図柄表示体が球体形状の回転表示構造体の外面に設けられ、回転表示構造体が回転駆動機構で回転され、複数の図柄を照明する表示灯が回転表示構造体の外部前側に配置され、回転表示構造体が光を透過する性質の有る合成樹脂により形成され、回転表示構造体の回転駆動機構による回転の中心を構成する表示軸の設けられる部分と図柄表示体との間の隙間が表示灯から放出された照射光を回転表示構造体の外部から内部に導入する光導入部として構成され、光導入部から回転表示構造体の内部に導入された照射光を回転表示構造体の前部に向う反射光として反射する反射体が回転表示構造体の内部に配置されかつ表示軸に固定されたことを特徴とする遊技回転表示装置。
【請求項２】
請求項１に記載の光導入部が貫通孔により形成されたことを特徴とする遊技回転表示装置。
【請求項３】
請求項１に記載の反射体が表示軸と平行な反射面を備え、表示灯が光を反射体の反射面に対し４５度の入射角となるように配置されたことを特徴とする遊技回転表示装置。
【請求項４】
請求項１に記載の表示灯が回転表示構造体に写るのを防止する防衛体が表示灯の周囲に設けられたことを特徴とする遊技回転表示装置。
【発明の詳細な説明】
【技術分野】
【０００１】
本発明は、回転表示構造体の照明が適正な遊技回転表示装置に関する。
【背景技術】
【０００２】
遊技回転表示装置には、次のような構造のものが知られている。それは、球体形状の回転表示構造体の外部に表示灯を設置し、表示灯が回転表示構造体の外部から回転表示構造体を照明する構造である。しかしながら、回転可能に支持する構造体が表示灯と回転表示構造体との間に配置されているため、表示灯から回転表示構造体に照明する光が回転可能に支持する構造体で遮られて影ができるという欠点がある。
【特許文献１】特開平８−１９１９３６号公報
【発明の開示】
【発明が解決しようとする課題】
【０００３】
発明が解決しようとする問題点は、回転表示構造体の照明が不適切であるという点である。
【課題を解決するための手段】
【０００４】
本発明に係る遊技回転表示装置は、複数の図柄を表示した図柄表示体が球体形状の回転表示構造体の外面に設けられ、回転表示構造体が回転駆動機構で回転され、複数の図柄を照明する表示灯が回転表示構造体の外部前側に配置され、回転表示構造体が光を透過する性質の有る合成樹脂により形成され、回転表示構造体の回転駆動機構による回転の中心を構成する表示軸の設けられる部分と図柄表示体との間の隙間が表示灯から放出された照射光を回転表示構造体の外部から内部に導入する光導入部として構成され、光導入部から回転表示構造体の内部に導入された照射光を回転表示構造体の前部に向う反射光として反射する反射体が回転表示構造体の内部に配置されかつ表示軸に固定されたことを最も主要な特徴とする。光導入部が開口により形成されたり、または、反射体が表示軸と平行な反射面を備え、表示灯が光を反射体の反射面に対し４５度の入射角となるように配置されたり、または、反射体が表示軸と平行な反射面を備え、表示灯が光を反射体の反射面に対し４５度の入射角となるように配置されたり、または、表示灯が回転表示構造体に写るのを防止する防衛体が表示灯の周囲に設けられたりしてもよい。
【発明の効果】
【０００５】
本発明に係る遊技回転表示装置は、表示灯からの照射光が回転駆動機構の外部前側から光導入部を経由して内部に導入され、この回転表示構造体の内部に導入された照射光が反射体で回転表示構造体の側に向う反射光として反射され、反射光が回転表示構造体を透過して図柄表示体における複数の図柄を回転表示構造体の内部から適切に照明することができるという利点がある。光導入部が貫通孔として構成されれば、照射光が減衰することなく回転表示構造体の外部から内部に進入して図柄表示体を鮮明に照明することができるという利点がある。反射体が表示軸と平行な反射面を備え、表示灯が光を反射体の反射面に対し４５度の入射角となるように配置されれば、反射体が板状という簡単な構造に構成しても、照射光が、回転表示構造体を装置躯体に対し回転可能に支持する構造体で遮られることがなく、表示灯から回転表示構造体の内部に適切に進入することができるという利点がある。防衛体が、表示灯の周囲に設けられれば、表示灯が回転表示構造体に写るのを防止することができるという利点がある。
【発明を実施するための最良の形態】
【０００６】
図１乃至図１４は発明を実施するための最良の形態である。図１は、遊技回転表示装置１をパチンコ機の遊技盤１２０に取り付けた構造を表示軸１２と平行な方向でかつ縦方向に切断した断面を示す。図２は、遊技回転表示装置１を分解して示す。図３は、回転表示構造体３を分解して示す。図４は、回転表示構造体３を組み立てる過程を示す。図５は、回転表示構造体３と図柄表示体６とを組み立てる初期の形態を示す。図６は、回転表示構造体３と図柄表示体６とを組み立てた終期の形態を示す。図７は、図６の状態に図柄表示体６の組み立てられた図柄表示体６を置いて矢印Ｂで示す左側から示す。図８は、図６の状態に図柄表示体６の組み立てられた図柄表示体６を置いて矢印Ｃで示す右側から示す。図９は、回転表示構造体３と遊星歯車１３とを分解して示す。図１０は、反射体９と表示軸１２とを分解して示す。図１１のａ図は、回転表示構造体３と支持構造体１４とを分解して示す。図１１のｂ図は、支持駒５３を内側から示す。図１２は、表示灯構造体７を分解して示す。図１３は、表示灯構造体７における表示灯８を取り付ける部分を分解して示す。図１４は、表示灯構造体７に表示灯８の組み立てられた形態を示す。本明細書において、「前」、「表」、「後」、「裏」、「左」、「右」、「上」、「下」の方向は、図１の状態に遊技回転表示装置１および遊技盤１２０を置いて矢印Ａで示す前側から見た場合に特定される方向である。「前」と「表」とは、同じ方向である。「後」と「裏」とは、同じ方向である。
【０００７】
図２を参照し、遊技回転表示装置１の構造について説明する。遊技回転表示装置１は、装置躯体２の前側に回転表示構造体３を自転駆動機構４および公転駆動機構５で回転表示構造体３を矢印Ｗ１で示す方向に自転および矢印Ｗ２で示す方向に公転させ、回転表示構造体３に設けられた図柄表示体６に表示された複数の図柄を可変表示する一方、表示灯構造体７の表示灯８から発射された光を回転表示構造体３の前側から内部に導入し、回転表示構造体３の外部前側から内部に導入された光を反射体９で回転表示構造体３の前部に向けて反射し、回転表示構造体３の前部に位置する図柄表示体６における複数の図柄を回転表示構造体３の内部から照明する構造である。自転駆動機構４および公転駆動機構５は、回転駆動機構を構成する。この回転駆動機構は、回転表示構造体３を回転する。装置躯体２は、自転駆動機構４、公転駆動機構５、表示体収容部１０、軸受孔部１１を備える。自転駆動機構４および公転駆動機構５の構造については、図１で後述する。表示体収容部１０は、前方に円形に開口し、装置躯体２の前面から内部に円形に窪む凹部として構成される。軸受孔部１１は、表示体収容部１０における円形な底面の中心部に設けられる。
【０００８】
回転表示構造体３には、反射体９、表示軸１２、遊星歯車１３、支持構造体１４が設けられる。反射体９は、表示軸１２に固定される。反射体９を表示軸１２に取り付ける構造については、図１０で後述する。表示軸１２は、回転表示構造体３の中心部を横方向に貫通して回転表示構造体３に回転可能に嵌め込まれ、支持構造体１４に回転しないように固定される。遊星歯車１３は、回転表示構造体３から外側に突出した表示軸１２の一端部に回転可能に嵌め込まれ、回転表示構造体３に固定される。遊星歯車１３を回転表示構造体３に取り付ける構造については、図９で後述する。支持構造体１４は、支持基盤１５、腕部１６；１７、支持軸１８、太陽歯車１９、中間歯車２０を備える。支持基盤１５は、上方から下方に窪む半球形である。腕部１６；１７は、支持基盤１５の直径線上で相対峙し、支持基盤１５の円形な周壁から上方に突出する。腕部１６は、表示軸１２を回転しないように支持する。支持軸１８は、支持基盤１５における底部の中心部から裏側に円筒状に突出する。そして、回転表示構造体３が支持構造体１４の前側に回転可能に取り付けられ、支持軸１８が装置躯体２の前側から軸受孔部１１に回転可能に嵌め込まれることによって、腕部１６；１７で両支持された表示軸１２が表示体収容部１０の底面と平行に配置される。
【０００９】
太陽歯車１９は、支持基盤１５の前側に配置され、太陽軸２１を備える。太陽軸２１は、太陽歯車１９の中心部から裏側に突出し、支持基盤１５の前側から支持軸１８の内部孔に回転可能に嵌め込まれ、支持軸１８の裏側に貫通する。中間歯車２０は、支持基盤１５の前側に配置され、中間軸２２を備える。中間軸２２は、中間歯車２０の中心部から裏側に突出し、支持基盤１５のすり鉢状の周壁に回転可能に取り付けられる。遊星歯車１３、太陽歯車１９、中間歯車２０は、傘歯車により構成される。中間歯車２０の外周部に形成された歯部は、太陽歯車１９の外周部に形成された歯部および遊星歯車１３の外周部に形成された歯部に噛み合わされる。つまり、太陽歯車１９が回転することによって、中間歯車２０および遊星歯車１３が回転し、回転表示構造体３が表示軸１２の横方向に延びる中心線Ｌ１を中心として表示軸１２の矢印Ｗ１で示す周方向に自転する。また、支持構造体１４の支持軸１８が回転することによって、回転表示構造体３が支持構造体１４の支持軸１８の前後方向に延びる中心線Ｌ２を中心として矢印Ｗ２で示す周方向につまり表示体収容部１０の底面と平行な方向に公転する。
【００１０】
回転表示構造体３に組み立てられた支持構造体１４の支持軸１８が装置躯体２の前側から軸受孔部１１に挿入され、回転表示構造体３および支持構造体１４が表示体収容部１０に取り込まれるように、表示灯構造体７が回転表示構造体３の前側から装置躯体２に被せられ、タッピングスクリューのような止ねじ９３が装置躯体２の裏側から装置躯体２に形成されたねじ挿入孔９４を経由して表示灯構造体７のねじ結合孔８８に締結されることによって、遊技回転表示装置１が図１に示す形態に構成される。表示灯構造体７の構造については、図１２で後述する。
【００１１】
図３を参照し、回転表示構造体３の構造について説明する。回転表示構造体３は、光を透過する性質の有る合成樹脂からなる２つ１組の半球体２５；２６を備える。半球体２５は、平坦部２７、軸受孔部２８、歯車係合部２９、合わせ部３０、光導入部３１を備える。平坦部２７は、半球体２５の中心部に、半球体２５の円形な開口部と平行で、中心線Ｌ１を中心とする円形に設けられる。軸受孔部２８は、平坦部２７の中心部に、中心線Ｌ１と平行な方向への貫通孔として設けられる。歯車係合部２９は、軸受孔部２８の周りに位置し、平坦部２７に、中心線Ｌ１と平行な方向への貫通孔として設けられる。合わせ部３０は、半球体２５の円形な開口部に、凹凸状に設けられる。光導入部３１の構造については、図６および図７で後述する。
【００１２】
半球体２６は、平坦部３２、軸受孔部３３、軸受収容部３４、合わせ部３５、光導入部３６を備える。平坦部３２は、半球体２６の中心部に、半球体２６の円形な開口部と平行で、中心線Ｌ１を中心とする円形に設けられる。軸受孔部３３は、平坦部３２の中心部に設けられた孔として形成される。軸受収容部３４は、平坦部３２の中心部に設けられた孔として形成される。平坦部３２に対し、軸受孔部３３が内側に配置され、軸受収容部３４が外側に配置される。軸受孔部３３の直径は、軸受収容部３４の直径よりも小さい。軸受孔部３３および軸受収容部３４は、中心線Ｌ１を同軸とし、互いに貫通する。合わせ部３５は、半球体２６の円形な開口部に、凹凸状に設けられる。平坦部２７の中心線Ｌ１を中心とする直径Ｓ１と、平坦部３２の中心線Ｌ１を中心とする直径Ｓ２とは、同一寸法になっている。光導入部３６の構造については、図６および図８で後述する。
【００１３】
図４を参照し、回転表示構造体３の組立方について説明する。半球体２５の合わせ部３０と半球体２６の合わせ部３５とが互いに向かい合わされ、反射体９の装着された表示軸１２が２つの半球体２５；２６の内部に配置される。そして、２つの半球体２５；２６が互いに近づけられ、表示軸１２の一端部が半球体２５の軸受孔部２８に挿入され、表示軸１２の他端部が半球体２６の軸受孔部３３に挿入される。次に、合わせ部３０の凸部と合わせ部３５の凹部とが互いに合わせられ、合わせ部３０の凹部と合わせ部３５の凸部とが互いに合わせられる。このように、反射体９の装着された表示軸１２が２つの半球体２５；２６の内部に配置された後、２つの半球体２５；２６が単一体として組み合わせられることによって、回転表示構造体３が中空な球体形状に構成される。
【００１４】
図５を参照し、図柄表示体６の構造について説明する。図柄表示体６は、表示シートと乳白色の基層と、種類の異なる複数の図柄とを備える。表示シートは、熱収縮および光を透過する性質の有る無色の合成樹脂により構成される。基層が、表示シートの裏面に設けられる。複数の図柄が、基層の裏面に、白色以外の色で表示される。基層および図柄は図柄表示体６の裏面に印刷される。複数の図柄は、例えば、「３」、「４」、「５」、「６」、「７」、「８」である。「３」、「５」、「７」が赤色である。「４」、「６」、「８」が青色である。基層および図柄が外側となるように、図柄表示体６が筒状に形成される。
【００１５】
図柄表示体６が筒状に形成された場合、複数の図柄は図柄表示体６の周方向に一列に配置された縦列形態となる。筒状に形成された図柄表示体６が表示軸１２の一端部の方向から回転表示構造体３の外面に被られる。基層が表示シートの表面に設けられ、図柄が基層の表面に設けられてもよいが、基層が表示シートの裏面に設けられ、図柄が基層の裏面に設けられれば、図柄表示体６が２つの半球体２５；２６からなる回転表示構造体３の外面に取り付けられた場合において、図柄が表示シートと回転表示構造体３との間に挟まれ、人が図柄に触れることができないようになるので、図柄の耐久性が向上する。
【００１６】
図６を参照し、図柄表示体６の回転表示構造体３への組立方について説明する。筒状に形成された図柄表示体６が回転表示構造体３に被られた後、図柄表示体６に熱が外側から与えられ、図柄表示体６が熱収縮して、図柄表示体６が回転表示構造体３の外側面に一体に設けられる。このように図柄表示体６が回転表示構造体３の外側面に一体に設けられた場合、複数の図柄は回転表示構造体３の矢印Ｗ１で示す自転する方向に離れて縦列に配置される。図柄表示体６が回転表示構造体３に組み立てられた場合、平坦部２７と図柄表示体６との間の隙間Ｓ３には横方向への貫通孔としての光導入部３１が配置され、平坦部３２と図柄表示体６との間の隙間Ｓ４には横方向への貫通孔としての光導入部３６が配置される。隙間Ｓ３および隙間Ｓ４は、同一寸法になっている。光導入部３１；３６は、図２の表示灯８から放出された光を回転表示構造体３の外部から内部に導入する。平坦部２７；３１は、回転表示構造体３の回転駆動機構による回転の中心を構成する表示軸１２の設けられる部分である。
【００１７】
図７に示すように、光導入部３１は、平坦部２７の周囲に周方向に分かれて３つに設けられる。光導入部３１の個数は、３個に限定されるものではなく、２個以上であればよい。図８に示すように、光導入部３６は平坦部３２の周囲に周方向に分かれて３つに設けられる。光導入部３６の個数は、３個に限定されるものではなく、２個以上であればよい。
【００１８】
図９を参照し、遊星歯車１３を回転表示構造体３に取り付ける構造について説明する。遊星歯車１３には、軸挿入孔部３８、軸受収容部３９、係合部４０、受止部４１、残渣孔４２が設けられる。軸挿入孔部３８は、図１０の表示軸１２を挿入する孔であって、遊星歯車１３の中心部に設けられる。軸受収容部３９は、図１１の軸受５１を挿入する孔であって、遊星歯車１３の中心部に設けられる。遊星歯車１３に対し、軸挿入孔部３８が内側に配置され、軸受収容部３９が外側に配置される。軸挿入孔部３８の直径は、軸受収容部３９の直径よりも小さい。軸挿入孔部３８および軸受収容部３９は、中心線Ｌ１を同軸とし、互いに貫通する。
【００１９】
係合部４０は、遊星歯車１３の直径線上で相対峙する一対であって、遊星歯車１３における回転表示構造体３の側に位置する面から回転表示構造体３の側に突出する弾性片の先端にフックを有する形態である。受止部４１は、軸挿入孔部３８と係合部４０との間に位置し、遊星歯車１３における回転表示構造体３の側に位置する内面から回転表示構造体３の側に突出する円形な壁である。残渣孔４２は、軸挿入孔部３８と係合部４０および受止部４１を備えた形態として、遊星歯車１３を合成樹脂で形成する成形型において、係合部４０における弾性片にフックを設けるための型要素が抜き取られた跡として形成された孔である。
【００２０】
そして、係合部４０が回転表示構造体３の側に向けられて歯車係合部２９に挿入されるのに伴い、軸挿入孔部３８が軸受孔部２８の内側に取り込まれ、受止部４１が軸受孔部２８の外側に配置され、係合部４０のフックが歯車係合部２９を回転表示構造体３の内部の方向に通過すると、係合部４０の弾性片が外側に弾性的に広がり、係合部４０のフックが平坦部２７の内面と対向し、受止部４１が平坦部２７の外面に接触する。これによって、平坦部２７が係合部４０のフックと受止部４１とで挟まれ、遊星歯車１３が回転表示構造体３に固定的に取り付けられる。このため、遊星歯車１３を回転表示構造体３に容易に取り付けたり、遊星歯車１３を回転表示構造体３から容易に取り外したりすることができる。遊星歯車１３が回転表示構造体３に取り付けられた形態は、図１参照。
【００２１】
図１０を参照し、反射体９を表示軸１２に取り付ける構造について説明する。反射体９は、板状であって、平坦な反射面４３を前面に備える。反射体９には、軸取付部４４が、反射面４３の中央部から前側への突起として設けられる。軸取付部４４の前部には、ねじ挿入孔４５が前後方向への貫通孔として設けられる。軸取付部４４の後部には、ねじ頭収容部４６が、軸取付部４４の裏面から前側への窪みとして設けられる。ねじ頭収容部４６の直径は、ねじ挿入孔４５の直径よりも大きい。表示軸１２は、ねじ締結孔４７および回転阻止部４８を備える。ねじ締結孔４７は、表示軸１２における中心線Ｌ１の延びる方向の中心部に、前後方向への貫通孔として設けられる。回転阻止部４８は、表示軸１２の一端部に、表示軸１２の外周面の一部が平坦面として形成された異形である。
【００２２】
そして、反射面４３が表示軸１２の後側から表示軸１２の側に向けられ、ねじ挿入孔４５とねじ締結孔４７とが互いに前後方向で対向され、タッピングスクリューのような止ねじ４９が反射体９の裏側からねじ頭収容部４６およびねじ挿入孔４５を経由して表示軸１２のねじ締結孔４７に締結されることによって、表示軸１２と反射体９とが互いに一体になる。表示軸１２と反射体９とが互いに一体になった場合、反射面４３が表示軸１２の中心線Ｌ１と平行になり、止ねじ４９の頭部がねじ頭収容部４６に収容されて反射体９の外部に突出しない。
【００２３】
図１１を参照し、回転表示構造体３を支持構造体１４に軸受５１；５２および支持駒５３；５４で取り付ける構造について説明する。軸受５１；５２は、同じ構造のボールベアリングにより構成される。支持駒５３は、回転表示構造体３から外側に突出した表示軸１２を支持構造体１４の腕部１６に回転しないように固定的に取り付けるものであって、回転阻止孔５５、円筒部５６、軸受収容部５７、第１隔壁５８、第２隔壁５９、係合部６０を備える。回転阻止孔５５は、表示軸１２の回転阻止部４８を嵌め込む異形孔として、支持駒５３の中心部に設けられる。円筒部５６は、支持駒５３の中心部に、支持駒５３から支持構造体１４の側である内側に突出して設けられる。軸受収容部５７は、円筒部５６の中心部に設けられた孔として構成される。支持駒５３に対し、回転阻止孔５５が外側に配置され、軸受収容部５７が内側に配置される。
【００２４】
回転阻止孔５５および軸受収容部５７は同軸であって、互いに貫通する。第１隔壁５８は、円筒部５６の中心線Ｌ１（図２参照）と同じ方向における内側部から径方向外側に突出する。第２隔壁５９は、円筒部５６の内側部から径方向外側に突出する。第１隔壁５８と第２隔壁５９とが円筒部５６の直径線上に位置するように、第１隔壁５８が円筒部５６から突出する位置と、第２隔壁５９が円筒部５６から突出する位置とは、互いに異なる。係合部６０は、縦壁６６、連結壁６７、弾性片６８、フック６９を備える。縦壁６６は、第１隔壁５８と左右方向としての横方向で相対峙するように支持駒５３から径方向外側に突出する。連結壁６７は、縦壁６６の突端を第１隔壁５８の突端につなぐ。弾性片６８は、連結壁６７から支持駒５３の左右方向としての横方向と直交する一方向に直線的に突出する。フック６９は、弾性片６８の突端から円筒部５６の側に突出して設けられる。
【００２５】
支持駒５４は、回転表示構造体３から外側に突出した表示軸１２を支持構造体１４の腕部１７に取り付けるものであって、円筒部６１、軸受収容部６２、第１隔壁６３、第２隔壁６４、係合部６５を備える。円筒部６１は、支持駒５４の中心部に、支持駒５４から支持構造体１４の側である内側に突出して設けられる。軸受収容部６２は、円筒部６１の中心部に、左右方向としての横方向への貫通孔として設けられる。第１隔壁６３は、円筒部６１の中心線Ｌ１（図２参照）と同じ方向における内側部から径方向外側に突出する。第２隔壁６４は、円筒部６１の内側部から径方向外側に突出する。第１隔壁６３と第２隔壁６４とが円筒部６１の直径線上に位置するように、第１隔壁６３が円筒部６１から突出する位置と、第２隔壁６４が円筒部６１から突出する位置とは、互いに異なる。係合部６５は、縦壁７０、連結壁７１、弾性片７２、フック７３を備える。縦壁７０は、第１隔壁６３と左右方向としての横方向で相対峙するように支持駒５４から径方向外側に突出する。連結壁７１は、縦壁の突端を第１隔壁６３の突端につなぐ。弾性片７２は、連結壁から支持駒５４の左右方向としての横方向と直交する一方向に直線的に突出する。フック７３は、弾性片の突端に円筒部５６の側に突出して設けられる。
【００２６】
支持構造体１４の腕部１６には、駒収容部７５、割目７６、逃避部７７、係合部７８が設けられる。駒収容部７５は、腕部１６に、左右方向としての横方向への貫通孔として設けられる。駒収容部７５を囲む腕部１６の回転表示構造体３の側における前部は、駒収容部７５の中心を中心とする円弧状である。割目７６は、支持駒５３の第１隔壁５８を挿入するために腕部１６の前部に設けられ、腕部１６の外側と駒収容部７５とに到達し、横方向および前後方向に開口し、腕部１６の前部を分断する。逃避部７７は、支持駒５３の第２隔壁５９を挿入するために腕部１６の後部に設けられ、駒収容部７５から腕部１６に窪む凹状であって、横方向および前後方向に開口する。係合部７８は、支持駒５３のフック６９を係合するものであって、割目７６で分断された腕部１６の一方に設けられ、腕部１６における前部と後部との境目から径方向外側に突出する。
【００２７】
支持構造体１４の腕部１７には、駒収容部７９、割目８０、逃避部８１、係合部８２が設けられる。駒収容部７９は、腕部１７に、左右方向としての横方向への貫通孔として設けられる。駒収容部７９を囲む腕部１７の回転表示構造体３の側における前部は、駒収容部７９の中心を中心とする円弧状である。割目８０は、支持駒５４の第１隔壁６３を挿入するために腕部１７の前部に設けられ、腕部１７の外側と駒収容部７９とに到達し、横方向および前後方向に開口し、腕部１７の前部を分断する。逃避部８１は、支持駒５４の第２隔壁６４を挿入するために腕部１７の後部に設けられ、駒収容部７９から腕部１７に窪む凹状であって、横方向および前後方向に開口する。係合部８２は、支持駒５４のフック７３を係合するものであって、割目８０で分断された腕部１７の一方に設けられ、腕部１７における前部と後部との境目から径方向外側に突出する。
【００２８】
回転表示構造体３を支持構造体１４に取り付けるには、軸受５１が遊星歯車１３の外側から軸受収容部３９に挿入され、軸受５２が回転表示構造体３の外側から軸受収容部３４に挿入され、回転表示構造体３が支持構造体１４の前側から支持基盤１５で囲まれた前側に開口した空間に挿入され、表示軸１２における回転表示構造体３の横方向に突出した両端部が駒収容部７５；７９に配置される。その場合、表示軸１２が作業者によって一端部の側から他端部の側に移動された後に腕部１６の内側から駒収容部７５に挿入され、表示軸１２が作業者によって他端部の側から一端部の側に移動された後に腕部１７の内側から駒収容部７９に挿入される。
【００２９】
次に、支持駒５３の円筒部５６が回転表示構造体３の外側から駒収容部７５に挿入され、支持駒５３の第１隔壁５８が回転表示構造体３の外側から割目７６を貫通して腕部１６よりも内側に配置され、支持駒５３の第２隔壁５９が回転表示構造体３の外側から逃避部７７を貫通して腕部１６よりも内側に配置される。これに伴い、表示軸１２の回転阻止部４８が支持駒５３の軸受収容部５７を支持駒５３の回転阻止孔５５に嵌め込まれ、円筒部５６が軸受５１のインナーリングに接触し、支持駒５３が表示軸１２に周方向に回転しないように固定される。そして、フック６９が係合部７８の側に近づくように、支持駒５３が回転操作されるのに伴い、表示軸１２が支持駒５３と一緒に回転し、円筒部５６が駒収容部７５を中心として回転し、支持駒５３の係合部６０が支持構造体１４の係合部７８に係合し、支持駒５３が腕部１６に固定される。
【００３０】
支持駒５４の円筒部６１が回転表示構造体３の外側から駒収容部７９に挿入されるのに伴い、表示軸１２の他端部が支持駒５４の軸受収容部６２に嵌め込まれ、円筒部６１が軸受５２のインナーリングに接触し、支持駒５４が表示軸１２に周方向に回転可能に装着される。そして、フック７３が係合部８２の側に近づくように、支持駒５４が回転操作されるのに伴い、円筒部６１が駒収容部７９を中心として回転し、支持駒５４の係合部６５が支持構造体１４の係合部８２に係合し、支持駒５４が腕部１７に固定される。このように、支持駒５３が腕部１６に固定され、支持駒５４が腕部１７に固定されることによって、反射体９が図１に示す形態に固定的に支持される。
【００３１】
図１２を参照し、表示灯構造体７の構造について説明する。表示灯構造体７は、表示灯８、表示後側外筒８４、表示前側外筒８５、レンズ８６を備える。最良の形態の場合、表示灯８は、合計６個であって、レンズ８６を前側から見た場合、レンズ８６の１本の直径線の周囲に３個ずつ配置される。表示後側外筒８４は、光を遮断する性質の有る有色の合成樹脂により、図２の回転表示構造体３および支持構造体１４を収納可能な空間を囲む筒状に構成される。表示後側外筒８４の後部には、取付部８７が設けられる。取付部８７は、表示後側外筒８４から内部に突出する。
【００３２】
取付部８７には、ねじ結合孔８８が前後方向への貫通孔として設けられる。表示前側外筒８５は、光を遮断する性質の有る有色の合成樹脂により、表示後側外筒８４の内径と同一の内径を有する筒状に構成される。表示前側外筒８５の前部には、フランジ８９が表示前側外筒８５の直径方向外側に突出した環状に設けられ、フード９０が前側に突出する筒状に設けられる。フランジ８９には、取付孔９１が、前後方向への貫通孔として設けられる。レンズ８６は、光を透過する性質の有る無色の合成樹脂により、裏側から前側に突出する半球形に形成される。レンズ８６の周縁部には、円筒隔壁９２が設けられる。
【００３３】
図１３を参照し、表示灯８が円筒隔壁９２に取り付けられる構造について説明する。表示灯８は、ＬＥＤにより構成され、回路基板９５に実装される。円筒隔壁９２の裏部には、表示収容部９６が設けられる。回路支持体９７は、取付部９８と投光窓９９および防衛体１００が設けられる。取付部９８は、円筒隔壁９２の裏側から回路支持体９７の外壁に嵌め込まれる構造である。投光窓９９は、表示灯８を囲む前後方向への貫通孔により構成される。防衛体１００は、投光窓９９の内縁部から後側に突出した突起として構成される。そして、表示灯８が後側に向けられ、回路基板９５が円筒隔壁９２の後側から表示収容部９６に収容され、取付部９８が円筒隔壁９２の裏側から回路支持体９７の外壁に嵌め込まれ、表示灯８が投光窓９９に配置され、回路支持体９７における投光窓９９の周縁部が回路基板９５における表示灯８の周囲を被覆し、回路支持体９７が図１４に示すように円筒隔壁９２に取り付けられる。
【００３４】
図１を参照し、自転駆動機構４の構造、公転駆動機構５の構造、遊技回転表示装置１がパチンコ機における遊技盤１２０に取り付けられた構造について説明する。自転駆動機構４は、自転モータ１０５、自転駆動輪体１０６、自転従動輪体１０７、自転ベルト１０８を備える。自転モータ１０５は、ステップモータにより構成され、自転モータ１０５の出力軸を構成する自転モータ軸１０９が装置躯体２から裏側に向けられ、自転モータ１０５のモータケースが装置躯体２の裏側からモータ収納室１１０に収納されて装置躯体２に固定的に取り付けられる。自転駆動輪体１０６の中心部が、自転モータ軸１０９に嵌め込まれて固定的に取り付けられる。自転従動輪体１０７の中心部が、装置躯体２から裏側に突出した太陽軸２１に嵌め込まれて固定的に取り付けられる。自転ベルト１０８が、自転駆動輪体１０６および自転従動輪体１０７に掛け渡される。そして、自転モータ軸１０９が回転駆動することによって、自転駆動輪体１０６、自転ベルト１０８、自転従動輪体１０７、太陽歯車１９、中間歯車２０、遊星歯車１３が回転し、回転表示構造体３が矢印Ｗ１で示す方向に自転する。自転駆動機構４は、自転モータ１０５、自転駆動輪体１０６、自転従動輪体１０７、自転ベルト１０８、太陽歯車１９、中間歯車２０、遊星歯車１３により構成される。
【００３５】
公転駆動機構５は、公転モータ１１２、公転駆動輪体１１３、公転従動輪体１１４、公転ベルト１１５を備える。公転モータ１１２は、ステップモータにより構成され、公転モータ１１２の出力軸を構成する公転モータ軸１１６が装置躯体２から裏側に向けられ、公転モータ１１２のモータケースが装置躯体２の裏側からモータ収納室１１７に収納されて装置躯体２に固定的に取り付けられる。公転駆動輪体１１３の中心部が、公転モータ軸１１６に嵌め込まれて固定的に取り付けられる。公転従動輪体１１４の中心部が、装置躯体２から裏側に突出した支持軸１８に嵌め込まれて固定的に取り付けられる。公転ベルト１１５が、公転駆動輪体１１３および公転従動輪体１１４に掛け渡される。そして、公転モータ軸１１６が回転駆動することによって、公転駆動輪体１１３、公転ベルト１１５、公転従動輪体１１４、支持構造体１４が回転し、回転表示構造体３が矢印Ｗ２で示す方向に公転する。公転駆動機構５は、公転モータ１１２、公転駆動輪体１１３、公転ベルト１１５、公転従動輪体１１４、支持構造体１４により構成される。
【００３６】
遊技回転表示装置１の遊技盤１２０への取付方について説明する。表示灯構造体７では表示後側外筒８４と表示前側外筒８５とが互いに分離されている。そして、表示前側外筒８５が遊技盤１２０の前側から遊技盤１２０に形成された回転表示逃避孔１２１に挿入され、木ねじなどの止ねじ１２２がフランジ８９の前側から取付孔９１（図２参照）を貫通して遊技盤１２０に締結されることによって、フランジ８９が回転表示逃避孔１２１を前側から覆い隠して遊技盤１２０に固定される。レンズ８６の円筒隔壁９２が表示前側外筒８５の裏側から内部に嵌め込まれることによって、レンズ８６がフード９０の内部に配置される。このレンズ８６の表示前側外筒８５への組み付けは、表示後側外筒８４が遊技盤１２０に取り付けられる以前または以後のどちらでもよい。
【００３７】
また、装置躯体２と表示前側外筒８５とが互いに組み合わせられ、装置躯体２が遊技盤１２０の裏面に取り付けられる。具体的には、表示前側外筒８５が自転駆動機構４および公転駆動機構５の組み立てられた装置躯体２に取り付けられる。それには、表示体収容部１０が遊技盤１２０の側に向けられ表示灯構造体７の裏側に被され、支持軸１８が軸受孔部１１を経由して公転従動輪体１１４の中心部に一緒に回転するように固定的に装着され、太陽軸２１が自転従動輪体１０７の中心部に止ねじ１２７で一緒に回転するように固定的に装着される。その後、止ねじ９３が装置躯体２の裏側からねじ挿入孔９４（図２参照）を経由して取付部８７のねじ結合孔８８（図２参照）に締結され、装置躯体２と表示前側外筒８５とが互いに組み合わせられる。次に、表示後側外筒８４の前部が遊技盤１２０の裏側から表示後側外筒８４の後部に対向され、装置躯体２が遊技盤１２０の裏面に取り付けられる。これによって、遊技回転表示装置１の遊技盤１２０に図１に示す形態に取り付けられる。遊技盤１２０の前面には、図示は省略するが、入賞部品、多数の遊技釘、飾り部品などの遊技部品が取り付けられる。
【００３８】
そして、遊技盤１２０が図外の遊技機枠に取り付けられ、遊技機枠におけるパネル枠と呼ばれる前扉が閉じられることによって、前扉における前後方向への貫通孔としての窓を覆うガラスのような光を透過する性質の有る無色の前面パネル１２３が遊技盤１２０の前面の前側に配置される。前面パネル１２３は、遊技盤１２０の前面および表示前側外筒８５から離れている。そして、前面パネル１２３と遊技盤１２０の前面との間に形成された空間１２４は、遊技者が入賞部品に入賞させようとして発射したパチンコ球と呼ばれる球１２５が遊技盤１２０の前面に沿って上方から下方に流れる領域を構成する。前面パネル１２３と表示前側外筒８５との隙間１２６は、球１２５が通過できない寸法である。よって、空間１２４を流下する球１２５は、表示前側外筒８５で遮られてレンズ８６の前面に到達しない。
【００３９】
以上のように遊技回転表示装置１が遊技盤１２０に取り付けられた状態において、自転モータ１０５が電力で駆動すると、自転モータ１０５の動力が自転モータ軸１０９から自転駆動輪体１０６、自転ベルト１０８、自転従動輪体１０７、太陽歯車１９、中間歯車２０、遊星歯車１３を経由して回転表示構造体３に伝達され、回転表示構造体３が表示軸１２を中心として矢印Ｗ１で示す方向に自転する。公転モータ１１２が電力で駆動すると、公転モータ１１２の動力が公転モータ軸１１６から公転駆動輪体１１３、公転ベルト１１５、公転従動輪体１１４を経由して支持構造体１４に伝達され、回転表示構造体３が支持軸１８を中心として矢印Ｗ２で示す方向に公転する。
【００４０】
回転表示構造体３の外部前側に設けられた表示灯８が点灯することによって、表示灯８から放出された照射光Ｘ１は、回転表示構造体３の斜め前側から光導入部３１；３６を経由して回転表示構造体３の内部に進入し反射体９の反射面４３で反射する。この反射面４３で反射した反射光Ｘ２は、回転表示構造体３を経由して図柄表示体６を回転表示構造体３の内部から照明することによって、反射光Ｘ２が回転表示構造体３を透過して図柄表示体６における複数の図柄を回転表示構造体３の内部から適切に照明することができるという利点がある。
【００４１】
また、光導入部３１；３６が貫通孔として構成されているので、照射光Ｘ１が減衰することなく回転表示構造体３の外部から内部に進入して図柄表示体６を鮮明に照明することができるという利点がある。反射体９が表示軸１２よりも後側に配置され、反射体９が表示軸１２と平行な反射面４３を備え、表示灯８が光を反射体９の反射面４３に対し４５度の入射角となるように配置されているので、回転表示構造体３の直径が小さくても、反射体９が板状という簡単な構造に構成しても、照射光Ｘ１が、回転表示構造体３を装置躯体２に対し回転可能に支持する構造体で遮られることがなく、表示灯８から回転表示構造体３の内部に適切に進入することができるという利点がある。表示灯８の周囲に設けられた防衛体１００が、表示灯８の影が回転表示構造体３に写るのを防止することができるという利点がある。レンズ８６の周囲が光を遮断する性質の有る有色の合成樹脂からなるフード９０で覆われているので、遊技回転表示装置１が図１に示すように遊技盤１２０に取り付けられた状態において、遊技者が遊技回転表示装置１を前側から見た場合、表示灯８がフード９０で隠れて見えないという利点がある。
【産業上の利用可能性】
【００４２】
光導入部３１；３６は、図１５乃至図２０のように構成してもよい。図１５乃至図１７は、異なる第１の形態を示す。図１５および図１６に示すように、半球体２５における光導入部３１は、最良の形態と同じである。図１５および図１７に示すように、半球体２６における光導入部３６は、図３における平坦部３２と軸受孔部３３および軸受収容部３４をも除去した円形な貫通孔として構成される。よって、図１５に示すように、半球体２５の内部には、軸支持部１０１が軸受孔部２８の周囲から合わせ部３０の側に突出した筒状として設けられる。そして、軸支持部１０１が表示軸１２に回転可能に支持されるように嵌め込まれることによって、回転表示構造体３が表示軸１２に片支持される。
【００４３】
図１８乃至図２０は、異なる第２の形態を示す。図１８および図１９に示すように、半球体２５における光導入部３１は、半球体２６に貫通孔が形成されることなく、図柄表示体６が回転表示構造体３に組み立てられた場合における平坦部２７と図柄表示体６との間の隙間Ｓ３に存在する半球体２５を構成する光を透過する性質の有る合成樹脂からなる。図１８および図２０に示すように、半球体２６に貫通孔が形成されることなく、図柄表示体６が回転表示構造体３に組み立てられた場合における平坦部３２と図柄表示体６との間の隙間Ｓ４に存在する半球体２６を構成する光を透過する性質の有る合成樹脂からなる。
【００４４】
自転駆動輪体１０６、自転従動輪体１０７、自転ベルト１０８を別々の平歯車からなる歯車列で構成してもよい。この場合、自転駆動輪体１０６は自転駆動歯車と概念され、自転従動輪体１０７は自転従動歯車と概念され、自転ベルト１０８は自転駆動歯車および自転従動歯車に噛み合う自転中間歯車と概念される。公転駆動輪体１１３、公転従動輪体１１４、公転ベルト１１５を別々の平歯車からなる歯車列で構成してもよい。この場合、公転駆動輪体１１３は公転駆動歯車と概念され、公転従動輪体１１４は公転従動歯車と概念され、公転ベルト１１５は公転駆動歯車および公転従動歯車に噛み合う公転中間歯車と概念される。
【００４５】
最良の形態では表示後側外筒８４と表示前側外筒８５とを互いに結合していないが、表示後側外筒８４の前部と表示前側外筒８５の後部とを互いに結合してもよい。防衛体１００が回路支持体９７と別々に構成され、防衛体１００と回路支持体９７とが円筒隔壁９２に個別に設けられてもよい。回路基板９５を円筒隔壁９２に止ねじなどで取り付けることによって、回路支持体９７を除去してもよい。
【図面の簡単な説明】
【００４６】
【図１】遊技盤に取り付けられた遊技回転表示装置の縦断面図（最良の形態）。
【図２】遊技回転表示装置の分解斜視図（最良の形態）。
【図３】回転表示構造体の分解断面図（最良の形態）。
【図４】回転表示構造体の組立過程の断面図（最良の形態）。
【図５】回転表示構造体と図柄表示体との組立初期の断面図（最良の形態）。
【図６】回転表示構造体と図柄表示体との組立終期の断面図（最良の形態）。
【図７】図柄表示体を備えた回転表示構造体の左側面図（最良の形態）。
【図８】図柄表示体を備えた回転表示構造体の右側面図（最良の形態）。
【図９】回転表示構造体と遊星歯車との分解斜視図（最良の形態）。
【図１０】表示軸と反射体との分解斜視図（最良の形態）。
【図１１】ａ図は回転表示構造体と支持構造体との分解斜視図、ｂ図は支持駒を内側から示す斜視図（最良の形態）。
【図１２】表示灯構造体の分解斜視図（最良の形態）。
【図１３】表示灯構造体と表示灯との分解斜視図（最良の形態）。
【図１４】表示灯構造体と表示灯との組立斜視図（最良の形態）。
【図１５】回転表示構造体の断面図（異なる第１の形態）。
【図１６】図柄表示体を備えた回転表示構造体の左側面図（異なる第１の形態）。
【図１７】図柄表示体を備えた回転表示構造体の右側面図（異なる第１の形態）。
【図１８】回転表示構造体の断面図（異なる第２の形態）。
【図１９】図柄表示体を備えた回転表示構造体の左側面図（異なる第２の形態）。
【図２０】図柄表示体を備えた回転表示構造体の右側面図（異なる第２の形態）。
【符号の説明】
【００４７】
１は遊技回転表示装置、２は装置躯体、３は回転表示構造体、４は自転駆動機構、５は公転駆動機構、６は図柄表示体、７は表示灯構造体、８は表示灯、９は反射体、１０は表示体収容部、１１は軸受孔部、１２は表示軸、１３は遊星歯車、１４は支持構造体、１５は支持基盤、１６は腕部、１７は腕部、１８は支持軸、１９は太陽歯車、２０は中間歯車、２１は太陽軸、２２は中間軸、２３は欠番、２４は欠番、２５は半球体、２６は半球体、２７は平坦部、２８は軸受孔部、２９は歯車係合部、３０は合わせ部、３１は光導入部、３２は平坦部、３３は軸受孔部、３４は軸受収容部、３５は合わせ部、３６は光導入部、３７は欠番、３８は軸挿入孔部、３９は軸受収容部、４０は係合部、４１は受止部、４２は残渣孔、４３は反射面、４４は軸取付部、４５はねじ挿入孔、４６はねじ頭収容部、４７はねじ締結孔、４８は回転阻止部、４９は止ねじ、５０は欠番、５１は軸受、５２は軸受、５３は支持駒、５４は支持駒、５５は回転阻止孔、５６は円筒部、５７は軸受収容部、５８は第１隔壁、５９は第２隔壁、６０は係合部、６１は円筒部、６２は軸受収容部、６３は第１隔壁、６４は第２隔壁、６５は係合部、６６は縦壁、６７は連結壁、６８は弾性片、６９はフック、７０は縦壁、７１は連結壁、７２は弾性片、７３はフック、７４は欠番、７５は駒収容部、７６は割目、７７は逃避部、７８は係合部、７９は駒収容部、８０は割目、８１は逃避部、８２は係合部、８３は欠番、８４は表示後側基盤、８５は表示前側基盤、８６はレンズ、８７は取付部、８８はねじ結合孔、８９はフランジ、９０はフード、９１は取付孔、９２は円筒隔壁、９３は止ねじ、９４はねじ挿入孔、９５は回路基板、９６は表示収容部、９７は回路支持体、９８は取付部、９９は投光窓、１００は防衛体、１０１は軸支持部、１０２乃至１０４は欠番、１０５は自転モータ、１０６は自転駆動輪体、１０７は自転従動輪体、１０８は自転ベルト、１０９は自転モータ軸、１１０はモータ収納室、１１１は欠番、１１２は公転モータ、１１３は公転駆動輪体、１１４は公転従動輪体、１１５は公転ベルト、１１６は公転モータ軸、１１７はモータ収納室、１１８は欠番、１１９は欠番、１２０は遊技盤、１２１は回転表示逃避逃孔、１２２は止ねじ、１２３は前面パネル、１２４は空間、１２５は球、１２６は隙間、１２７は止ねじ、Ｌ１は中心線、Ｌ２は中心線、Ｗ１は自転、Ｗ２は公転、Ｘ１は照射光、Ｘ２は反射光。
【図１】
2008073138.tif 000003
【図２】
2008073138.tif 000004
【図３】
2008073138.tif 000005
【図４】
2008073138.tif 000006
【図５】
2008073138.tif 000007
【図６】
2008073138.tif 000008
【図７】
2008073138.tif 000009
【図８】
2008073138.tif 000010
【図９】
2008073138.tif 000011
【図１０】
2008073138.tif 000012
【図１１】
2008073138.tif 000013
【図１２】
2008073138.tif 000014
【図１３】
2008073138.tif 000015
【図１４】
2008073138.tif 000016
【図１５】
2008073138.tif 000017
【図１６】
2008073138.tif 000018
【図１７】
2008073138.tif 000019
【図１８】
2008073138.tif 000020
【図１９】
2008073138.tif 000021
【図２０】
2008073138.tif 000022